(57)【要約】塞栓摘出装置（１０）は、基端部と先端部とを有する長尺状のシャフト（１６）を備える。同塞栓摘出装置は、シャフト（１６）の先端部に連結される主ストラット（１２）を備える。同ストラットは、基端側に配置される口部を構成する。他の副ストラット（１４）は、長尺状のシャフト（１６）に沿って連結されることにより塞栓摘出装置（１０）の血栓収容能力を高める。
2006516212.tif 000002
【特許請求の範囲】
【請求項１】
基端部と先端部とを有する長尺状のシャフトと、
複数の主ストラットと、各ストラットは基端部と先端部とを有して、それら基端部と先端部とは前記シャフトに連結されることと、
主ストラットは第１の姿勢と第２の姿勢とを有し、第１の姿勢において主ストラットの基端部と先端部とは第１の間隔をあけて離間し、第２の姿勢において主ストラットの基端部と先端部とは第２の間隔をあけて離間し、第２の間隔は第１の間隔よりも少ないこととからなる塞栓摘出装置。
【請求項２】
前記主ストラットの先端部を前記シャフトに対して摺動可能に連結するスリーブをさらに備える請求項１に記載の塞栓摘出装置。
【請求項３】
前記主ストラットの基端部を前記シャフトに対して摺動可能に連結するスリーブをさらに備える請求項１に記載の塞栓摘出装置。
【請求項４】
前記第１の姿勢において、主ストラットはシャフトに対してほぼ平行且つ近接して配置される請求項１に記載の塞栓摘出装置。
【請求項５】
前記第２の姿勢において、主ストラットの基端部分はほぼ円形の口部を構成する請求項１に記載の塞栓摘出装置。
【請求項６】
前記主ストラットは口部からほぼ先端方向へ延びて、ほぼ先端に向かってテーパする本体を構成する請求項５に記載の塞栓摘出装置。
【請求項７】
前記口部を形成する主ストラットの基端部分は、シャフトの長さに対して４５度乃至９０度の角度においてシャフトから延びる請求項５に記載の塞栓摘出装置。
【請求項８】
前記口部を形成する主ストラットの基端部分は、シャフトの長さに対して６０度乃至９０度の角度においてシャフトから延びる請求項５に記載の塞栓摘出装置。
【請求項９】
前記口部を形成する主ストラットの基端部分は、シャフトの長さに対して８０度乃至９０度の角度においてシャフトから延びる請求項５に記載の塞栓摘出装置。
【請求項１０】
前記口部を形成する主ストラットの基端部分は、シャフトからほぼ基端方向へ延びる請求項５に記載の塞栓摘出装置。
【請求項１１】
前記口部を形成する主ストラットの基端部分は、シャフトからほぼ先端方向へ延びる請求項５に記載の塞栓摘出装置。
【請求項１２】
前記主ストラットは形状記憶性材料を備える請求項１に記載の塞栓摘出装置。
【請求項１３】
前記形状記憶性材料はＮｉＴｉ合金を含む請求項１２に記載の塞栓摘出装置。
【請求項１４】
前記シャフトに連結される複数の副ストラットをさらに備え、それら副ストラットは基端部と先端部とを有する請求項１に記載の塞栓摘出装置。
【請求項１５】
前記副ストラットは横断面積を有し、前記主ストラットはそれぞれ、副ストラットよりも大きい横断面積を有する請求項１４に記載の塞栓摘出装置。
【請求項１６】
前記副ストラットの先端部を前記シャフトに対して摺動可能に連結する少なくとも１つのスリーブをさらに備える請求項１４に記載の塞栓摘出装置。
【請求項１７】
前記副ストラットの基端部を前記シャフトに対して摺動可能に連結する少なくとも１つのスリーブをさらに備える請求項１４に記載の塞栓摘出装置。
【請求項１８】
前記副ストラットはほぼ円形の口部の少なくとも一部分を形成する請求項１４に記載の塞栓摘出装置。
【請求項１９】
少なくとも１つの副ストラットは、少なくとも１つの主ストラットから離間して前記シャフトに連結される請求項１４に記載の塞栓摘出装置。
【請求項２０】
少なくとも１つの副ストラットは、少なくとも１つの主ストラットから離間して前記シャフトから延びる請求項１４に記載の塞栓摘出装置。
【請求項２１】
前記主ストラットは前記副ストラットのうちの少なくとも１つを独立して移動させる請求項１４に記載の塞栓摘出装置。
【請求項２２】
前記ストラットのうちの少なくとも１つは、前記長尺状のシャフトを中心に回転する請求項１４に記載の塞栓摘出装置。
【請求項２３】
前記ストラットのうちの少なくとも１つは、前記長尺状のシャフトに沿って少なくとも部分的に平行移動する請求項１４に記載の塞栓摘出装置。
【請求項２４】
少なくとも１つのストラットは放射線不透過性材料を備える請求項１に記載の塞栓摘出装置。
【請求項２５】
基端部と先端部とを有する長尺状のシャフトと、
基端部と先端部とを有する第１ストラットと、同ストラットの基端部は前記シャフトに連結されることと、
同ストラットは第１の姿勢と第２の姿勢とを有し、第１の姿勢においてストラットの先端部と基端部とは第１の間隔をあけて離間され、第２の姿勢においてストラットの先端部と基端部とは第１の間隔よりも短い第２の間隔をあけて離間されることとからなる塞栓摘出装置。
【請求項２６】
前記第１の姿勢において、前記ストラットはシャフトに対してほぼ平行に配置される請求項２５に記載の塞栓摘出装置。
【請求項２７】
前記第２の姿勢において、前記ストラットの基端部分はほぼ円形の口部を構成する請求項２５に記載の塞栓摘出装置。
【請求項２８】
前記ストラットは前記口部からほぼ先端方向へ延びて、ほぼ先端に向かってテーパする本体を構成する請求項２７に記載の塞栓摘出装置。
【請求項２９】
前記口部を形成するストラットの基端部分は、シャフトの長さに対して４５度乃至９０度の角度においてシャフトから延びる請求項２７に記載の塞栓摘出装置。
【請求項３０】
前記口部を形成するストラットの基端部分は、シャフトの長さに対して６０度乃至９０度の角度においてシャフトから延びる請求項２７に記載の塞栓摘出装置。
【請求項３１】
前記口部を形成するストラットの基端部分は、シャフトの長さに対して８０度乃至９０度の角度においてシャフトから延びる請求項２７に記載の塞栓摘出装置。
【請求項３２】
前記ストラットは形状記憶性材料を備える請求項２５に記載の塞栓摘出装置。
【請求項３３】
前記形状記憶性材料はＮｉＴｉ合金を含む請求項３２に記載の塞栓摘出装置。
【請求項３４】
前記シャフトに連結される１個以上の追加のストラットをさらに備える請求項２５に記載の塞栓摘出装置。
【請求項３５】
前記追加のストラットのうちの少なくとも１つは横断面積を有し、前記第１ストラットは、追加のストラットのうちの少なくとも１つよりも大きい横断面積を有する請求項３４に記載の塞栓摘出装置。
【請求項３６】
前記追加のストラットのうちの少なくとも１つは、前記第１ストラットから離間して前記シャフトに連結される請求項３４に記載の塞栓摘出装置。
【請求項３７】
前記追加のストラットのうちの少なくとも１つは、前記第１ストラットから離間して前記シャフトから延びる請求項３４に記載の塞栓摘出装置。
【発明の詳細な説明】
【技術分野】
【０００１】
本発明は、塞栓の収集及び除去に関する。
【背景技術】
【０００２】
血栓は、患者の血管系において凝血塊を形成する。そのような凝血塊は、害を及ぼすことなく血流に溶解することもある。しかしながら、凝血塊が血管内に留まり、その血管内の血流を部分的又は完全に遮断する場合がある。部分的又は完全に閉塞された血管が、脳や肺や心臓等の繊細な組織へ血液を供給する血管である場合、そのような組織は重大な損傷を受けることになる。
【０００３】
発作を引き起こすような閉塞のように、閉塞の症状が明らかな場合は、迅速な行動を取り、組織の損傷を軽減即ち排除しなければならない。一つの方法としては、凝血塊を分解する薬剤により患者を治療することである。しかしながら、そのような薬剤は、凝血塊を迅速に分解しないため、有害な副作用を引き起こすことがある。したがって、患者から凝血塊を物理的に除去することが望ましい。
【発明の開示】
【発明が解決しようとする課題】
【０００４】
本発明は上記した懸案を鑑みてなされたものである。
【課題を解決するための手段】
【０００５】
本発明は、改良された凝血塊即ち塞栓摘出装置、及び凝血塊等の塞栓を血管系から除去するための方法に関する。請求項に記載の発明に関しては様々な実施例が可能であり、これらの実施例における例は、本明細書において概略的に説明され、発明の詳細な説明においてより詳細に説明される。本発明による塞栓摘出装置の一実施例は、長尺状のシャフトの先端部に連結される２種類のストラットを備える。第１の折り畳まれた姿勢において、ストラットは、通常、長尺状のシャフトに平行に配置される。第２の拡張された姿勢において、ストラットの基端部は、長尺状のシャフトの長さに対して約９０度の角度をなすように配置されるほぼ円形の口部を構成する。口部の先端方向へ延びるストラットの部分は、円錐状のチップを備えるほぼテーパ形状をなす筒状の本体を構成する。そのような構成において、筒状の血栓等の塞栓塊は、塞栓摘出装置により収容される。
【０００６】
本発明による塞栓摘出装置の一実施例は、基端部及び先端部を有する長尺状のシャフトを備える。主ストラットの基端部及び先端部がシャフトに連結されることにより、シャフトを中心にして主ストラットが回転できる。スリーブは、ストラットの先端部をシャフトに対して摺動可能に連結するために使用される。また、スリーブは、ストラットの基端部をシャフトに対して摺動可能に連結するためにも使用される。ストラットは、第１の姿勢及び第２の姿勢において配置される。第１の姿勢において、ストラットの基端部及び先端部は、第１の間隔をおいて離間される。第２の姿勢において、ストラットの基端部及び先端部は、第１の間隔よりも少ない第２の間隔をおいて離間される。
【０００７】
第１の姿勢において、ストラットは、シャフトに対してほぼ平行且つ近接して配置されてもよい。第２の姿勢において、第１及び第２ストラットの基端部分は、ほぼ円形の口部を構成する。第２の姿勢において、口部からほぼ先端方向へ延びるストラットの部分は、ほぼ先端に向かってテーパする本体を構成する。口部を形成するストラットの基端部分は、シャフトの長さに対して４５度乃至９０度の角度をなすようにシャフトから延びる。この角度は、６０度乃至９０度、又は、８０度乃至９０度であってもよい。
【０００８】
ストラットは、ＮｉＴｉ合金等の形状記憶性材料を備えることも可能である。塞栓摘出装置の血栓収容能力を高めるために、他のストラットを塞栓摘出装置に追加することも可能である。そのようなストラットは、主ストラットよりも小さい断面直径を有してもよく、或いは、主ストラットとほぼ同径であってもよい。そのような副ストラットは、長尺状のシャフトに沿って主ストラットと同じ箇所において連結されてもよく、或いは、別のスリーブを使用して、主ストラットの基端部の先端方向の異なる箇所において連結されてもよい。
【０００９】
本発明において、塞栓摘出装置は、第１の圧縮された姿勢において患者の血管系を通過し、凝血塊を越えて先端側に進められる。次に、塞栓摘出装置は、第２の拡張された姿勢において配置され、さらに第２の圧縮された姿勢になるまで基端方向へ引き寄せられて、血栓を捕捉して収容し、より径の大きい血管まで移動させ、即ち体内から除去する。
【発明を実施するための最良の形態】
【００１０】
図面に関しては、異なる図面において類似する要素には同じ符号を付しており、図１は塞栓摘出装置１０を示す斜視図である。塞栓摘出装置１０は、長尺状のシャフト１６に連結される第１及び第２の主ストラット１２と、第１及び第２の副ストラット１４とを備える。これらストラット１２，１４は、その基端部においてスリーブ１８により、また、その先端部においてスリーブ２０により、シャフト１６に連結されてもよい。例えば、スプリングチップ２２は、シャフト１６の先端部において配置されてもよい。スプリングチップ２２は、微細血管へ塞栓摘出装置を導いて、配置された後で塞栓摘出装置を固定させるために、医師により選択的に形成されてもよい。スプリングに代えて、放射線不透過性ポリマーを使用してもよい。
【００１１】
図１に示すストラット１２は、拡張された、即ち、搬送される姿勢において配置される。この姿勢において、基端部分３０は、シャフト１６に対してほぼ直交するように延び、ほぼ円形の口部を形成する。口部の先端側に延びるストラット１２の先端部分３２は、先端に向かってテーパ状をなす本体を形成し、同本体はほぼ円錐状の先端を有する。ストラット１４は、テーパ状の本体に直交することにより、塞栓摘出装置１０の凝血塊を捕捉して保持する能力を向上させる。ストラット１２，１４は、ＮｉＴｉ合金等の形状記憶金属を含む異なる材料から形成されてもよい。副ストラット１４は、主ストラット１２よりも小径即ちより小さい横断面積を有してもよい。
【００１２】
長尺状のシャフト１６は、ガイドワイヤを形成するのに使用される材料に類似する材料から形成されてもよく、例えば、プラスチックポリマー、ステンレス鋼、ＮｉＴｉ合金、或いは他の好適な材料であってもよい。スリーブ１８は、ワイヤコイルから形成されてもよい。接着剤やハンダ等を塗布して、ストラット１２，１４の基端部及びスリーブ１８をシャフト１６、即ち基端側のブッシングに固定して連結することも可能である。スリーブ２０も、ワイヤコイルから形成されてもよい。接着剤やハンダ等を使用して、ストラット１２，１４をスリーブ２０に連結することも可能である。ストラット１２，１４が、シャフト１６に対して固定して連結されないで互いに連結される場合は、スリーブ２０はシャフト１６に沿って摺動できる。スリーブ１８，２０は、放射線不透過性材料を備えてもよい。ストラット１２，１４は、その配置された形状を視覚化するために、放射線不透過性材料を備えることも可能である。
【００１３】
図２は、図１の塞栓摘出装置１０を示す側面図である。また、図２において、塞栓摘出装置１０は、拡張された即ち配置された状態において示される。口部を構成するストラット１２の基端部分３０は、シャフト１６の長さに対して角度Ａをなして配置される。角度Ａは、約９０度であってもよく、４５度乃至９０度、６０度乃至９０度、８０度乃至９０度であってもよい。角度Ａは、シャフト１６の先端部とストラット１２の基端部分３０との間の角度として示されるが、ストラット１２の部分３０とストラット１２の基端側のシャフト１６の部分との間の角度であってもよい。ほぼ円形の口部を構成する各ストラット１２は、独立して移動可能であるため、開いた口部の寸法が異なる。例えば、比較的細い血管において、ストラット１２は互いにより接近して移動して、小さい口部を形成するが、太い血管においては、ストラット１２は拡張してより大きな口部を形成する。ＮｉＴｉ合金を使用して、ストラット１２，１４を形成する場合、ストラット１２，１４は予め拡張した形状を有することも可能である。
【００１４】
シャフト１６の長さ及び塞栓摘出装置１０の異なる要素の寸法は、患者の血管系において到達すべき箇所によって選択されてもよい。例えば、患者の大脳動脈に大腿動脈から接近する必要がある場合、シャフト１６の長さはそれに応じて設定されるべきである。ストラット１２の基端部分３０より構成されるほぼ円形の口部の直径は、配置される血管壁に非外傷的に係合するように設定されてもよい。主及び副ストラットの数は、血管の寸法や凝血塊の性質に応じて増減させてもよい。また、主ストラット及び副ストラットの位置は、必要に応じて長尺状のシャフトに沿って変更されてもよい。
【００１５】
図３は、塞栓摘出装置１０に使用されるマイクロカテーテル２４の断面図である。マイクロカテーテル２４は、放射線不透過性マーカチップ２１を有することも可能である。チップ２１は、例えば、プラチナバンドや放射線不透過性材料を含んだポリマーから形成されてもよい。図３に示されるように、塞栓摘出装置１０は、折り畳まれた即ち搬送される状態で配置される。この状態において、スリーブ２０は、シャフト１６の先端側へ摺動することにより、ストラット１２，１４がマイクロカテーテル２４内で圧縮されて、シャフト１６に対してほぼ平行に配置される。図４は、マイクロカテーテル２４の断面図であり、塞栓摘出装置１０は、マイクロカテーテル２４内に部分的に配置され、マイクロカテーテル２４の先端側に部分的に配置される。ストラット１２，１４は、マイクロカテーテル２４が取り除かれると、自ら拡張するように押圧されてもよい。
【００１６】
図５は、例えば、大脳動脈等の血管２６の断面である。血栓を含む凝血塊２８は、血管２６を閉塞している。マイクロガイドワイヤ２９は、凝血塊２８の先端側に進められている。次に、マイクロカテーテル２４が、凝血塊２８の先端側に進められる。
【００１７】
図６に示されるように、マイクロカテーテル２４は、凝血塊２８の先端側に進められている。マイクロガイドワイヤ２９は、基端方向へ移動させられている。塞栓摘出装置１０は、マイクロカテーテル２４の基端部において、イントロデューサシース（図示せず）により、マイクロカテーテル２４内に配置されている。
【００１８】
図７に示されるように、マイクロカテーテル２４及び塞栓摘出装置１０の少なくとも一部が、凝血塊２８の先端側に進められると、塞栓摘出装置１０はマイクロカテーテル２４に対してさらに進められて配置されることにより、ストラット１４，１２を拡張できる。これに代えて、マイクロカテーテル２４が、塞栓摘出装置１０に対して基端側に後退させられることにより、ストラット１２，１４を拡張することも可能である。
【００１９】
図８に示されるように、塞栓摘出装置１０は、基端側に引き込まれることにより、ストラット１４，１２が凝血塊２８に係合して捕捉する。基端側の口部が血管２６の壁に係合するように、ストラット１２が形成されている場合、口部分は、分離器として機能して凝血塊２８を血管壁から分離させる。凝血塊２８が塞栓摘出装置１０により捕捉された後に、ストラット１２，１４の少なくとも一部がマイクロカテーテル内に配置されることにより、ストラット１２，１４の形状が減少する。スリーブ１８及びチップ２１が放射線不透過性を備えている場合は、塞栓摘出装置１０がマイクロカテーテル２４内に引き込まれる相対距離が、Ｘ線透視法により観察できる。次に、凝血塊２８、塞栓摘出装置１０及びマイクロカテーテル２４は、例えば、ガイドカテーテル（図示せず）により、基端側へ移動させられる。
【００２０】
図９は、塞栓摘出装置１１０の他の実施例である。塞栓摘出装置１１０は、塞栓摘出装置１０と同様の材料から形成され、同様の方法により拡張された状態にある。同装置は、主ストラット１１２及び副ストラット１１４を備える。主ストラット１１２及び副ストラット１１４は、その基端部においてスリーブ１１８により長尺状のシャフト１１６に連結され、その先端部においてスリーブ１２０により長尺状のシャフト１１６に連結される。しかしながら、本実施例において、スリーブ１２０，１１８は、シャフト１１６に沿って摺動可能である。他の実施例においては、スリーブ１１８又はスリーブ１２０は、シャフト１１６に対して固定され、或いは、スリーブ１１８，１２０の両方は、シャフト１１６に対して固定される。しかしながら、基端方向への移動は、長尺状のシャフト１１６に固定された止め部１１９により制限される。先端方向への移動は、スプリングチップ１２２により制限される。スプリングに代えて、放射線不透過性ポリマーを使用してもよい。シャフト１６同様に、シャフト１１６はワイヤから形成されてもよい。
【００２１】
シャフト１１６は、ポリマーコーティング１２１を備えることにより、装置の収縮及び再配置工程を向上させることも可能である。コーティング１２１は、ポリマーテトラフルオリンエチレン（ｐｏｌｙｍｅｒ  ｔｅｔｒａｆｌｕｏｒｉｎｅ  ｅｔｈｙｌｅｎｅ（ＰＴＦＥ））或いは他の好適な材料であってもよい。そのようなコーティングは、本明細書において記載されるシャフトに使用されてもよい。
【００２２】
ストラット１１２の基端部１３０は、ほぼ円形の口部を構成する。ストラット１１２の先端部分１３２は、ほぼテーパ状の本体部分を構成する。塞栓摘出装置１１０の口部分は、角度Ａ及び塞栓摘出装置１０に関してすでに述べたように、シャフト１１６に対して角度Ａをなすように配置される。
【００２３】
図１０Ａは、塞栓摘出装置２１０の他の実施例を示す平面図である。塞栓摘出装置２１０は、塞栓摘出装置１０と同様の材料から形成され、同様の方法により拡張された状態にある。塞栓摘出装置２１０は、基端側連結ポイント２１８及び先端スリ―ブ２２０において、長尺状のシャフト２１６に連結される主ストラット２１２、第１及び第２副ストラット２１４を備える。また、同装置は、中間連結ポイント２４０において、スリーブ２１９により長尺状のシャフト２１６に連結される基端部及び先端部を有する第３及び第４副ストラット２１５を備える。スリーブ２１９は、ワイヤコイルから形成され、長尺状のシャフト２１６に沿って摺動可能に配置されてもよい。スリーブ２１９は、放射線不透過性材料から形成されてもよい。
【００２４】
図１ＯＢは、図１０Ａの塞栓摘出装置２１０の側面図である。長尺状のシャフト２１６に沿って配置される副ストラット２１４，２１５と、中間連結ポイント２４０の位置が示される。
【００２５】
図１０Ｃは、図１０Ａの塞栓摘出装置２１０を示す拡大図である。スリーブ２１９は、副ストラット２１５を長尺状のシャフト２１６に連結するために使用され、主ストラット２１２の連結ポイント２１８の先端方向に位置する。
【００２６】
図１０Ｄは、図１０Ａの塞栓摘出装置２１０の他の実施例を示す拡大図である。本実施例において、副ストラット２１４，２１５は、基端側の連結ポイント２１８において長尺状のシャフト２１２に連結される。
【００２７】
図ＩＯＥは、図１０Ａの塞栓摘出装置を示す拡大図である。放射線不透過性マーカ２２３は、ワイヤコイルから形成されることが望ましく、ストラット２１２に装着されている。
【００２８】
図１１Ａは、塞栓摘出装置３１０の他の実施例を示す平面図である。塞栓摘出装置３１０は、塞栓摘出装置１０と同様の材料から形成され、同様の方法により拡張された状態にある。塞栓摘出装置は、第１の中間連結ポイント３４０の先端側の第２中間連結ポイント３４２において、スリ―ブ３１９を備える長尺状のシャフト３１６に連結される第５及び第６副ストラット３１７を備える。本実施例は、長尺状のシャフト３１６に沿って連結される８個のストラットを示しているが、必要に応じて追加のストラットを備えることは、本発明の範囲内において可能である。
【００２９】
図１１Ｂは、図１１Ａの塞栓摘出装置３１０の側面図である。長尺状のシャフト３１６に沿って配置される副ストラット３１４，３１５，３１７と、中間連結ポイント２４０，２４２の位置が示される。
【００３０】
図１１Ｃは、図１１Ａの塞栓摘出装置３１０の拡大図である。スリーブ３１９は、中間連結ポイント３４０において、副ストラットの第２の組３１５及び副ストラットの第３の組３１７を他の長尺状のシャフト３１９に連結するために使用され、主ストラット３１２の連結ポイント３１８の先端方向に位置される。
【００３１】
図１１Ｄは、図１１Ａの塞栓摘出装置３１０の拡大図である。放射線不透過性マーカ３２３は、ワイヤコイルから形成されることが望ましく、ストラット３１２に装着される。
図１２は、拡張された状態における塞栓摘出装置４１０の他の実施例を示す。塞栓摘出装置４１０は、塞栓摘出装置１０と同様の材料から形成され、同様の方法により拡張された状態にある。塞栓摘出装置４１０は、その基端部においてスリ―ブ４１８により、また、先端部においてスリ―ブ４２０により、長尺状のシャフト４１６に対して連結される、ほぼらせん状のストラット４１２を備える。スリーブ４１８又はスリ―ブ４２０は、長尺状のシャフト４１６に沿って摺動可能である。スリーブ４１８及びスリ―ブ４２０の両方が、長尺状のシャフト４１６に沿って摺動可能である場合、スプリングチップ４２２に加えて、スリーブ４１８の基端側に基端止め部（図示せず）を設けることが望ましい。スプリングに代えて、放射線不透過性ポリマーを使用してもよい。他の実施例において、スリーブ４１８又はスリ―ブ４２０が、シャフト４１６に対して固定されてもよく、或いは、スリーブ４１８及びスリ―ブ４２０両方が、シャフト４１６に対して固定されてもよい。
【００３２】
ストラット４１２の基端部分４３０は、ほぼ円形の口部を形成する。ストラット４１２の先端部分４３２は、先端に向かってテーパしてテーパ状の本体を形成する。ストラット４１２の基端部分４３０は、塞栓摘出装置１０における角度Ａに関して述べたように、長尺状のシャフト４１６に対して角度Ａをなすように配置される。
【００３３】
図１３は、図１２の塞栓摘出装置４１０の先端方向から見た図である。同図において、ストラット４１２のほぼ円形の口部及びテーパ状の本体が示される。
図１４は、拡張された状態における塞栓摘出装置５１０のさらに他の実施例を示す側面図である。塞栓摘出装置５１０は、塞栓摘出装置１０と同様の材料から形成され、同様の方法により使用されてもよい。塞栓摘出装置５１０は、主ストラット５１２を備える。ストラット５１２は、その基端部においてスリ―ブ５１８により長尺状のシャフト５１６に連結される。ストラット５１２は、その先端部においてスリ―ブ５２０により連結されてもよい。
【００３４】
ストラット５１２の基端部５３０は、ほぼ円形の口部を構成する。ストラット５１２の先端部分５３２は、先端に向かってテーパして先端の本体部分を形成する。ストラット５１２の基端部分５３０は、塞栓摘出装置１０における角度Ａに関して述べたように、長尺状のシャフト５１６に対して角度Ａをなすように配置される。
【００３５】
図１５は、図１４の塞栓摘出装置５１０の先端方向から見た図である。同図において、塞栓摘出装置５１０のほぼ円形の口部及びテーパ状の本体部分が示される。
図１６は、拡張された状態における塞栓摘出装置６１０のさらに他の実施例を示す側面図である。塞栓摘出装置６１０は、上記したように塞栓摘出装置１０と同様の材料から形成され、同様の方法において使用されてもよい。塞栓摘出装置６１０は、主ストラット６１２，６１３を備える。主ストラット６１２，６１３は、その基端部においてスリ―ブ６１８により、また先端部においてスリーブ６２０により、長尺状のシャフト６１６に対して連結される。スリーブ６１８又はスリ―ブ６２０は、長尺状のシャフト６１６に沿って摺動可能である。スリーブ６１８及びスリ―ブ６２０の両方が、長尺状のシャフト４１６に沿って摺動可能である場合、スリーブ６１８の基端側に止め部を設けることが望ましい。先端スプリングチップ６２２が、先端止め部として機能してもよい。スプリングに代えて、放射線不透過性ポリマーを使用してもよい。主ストラット６１２，６１３の基端部分６３０は、ほぼ円形の口部を形成する。主ストラット６１２，６１３の先端部分６３２は、先端に向かってテーパしてほぼテーパ状の本体を形成する。基端部分６３０と先端部分６３２との間の移行は、主ストラット６１２に沿って屈曲部６４２において、及び、主ストラット６１３に沿って屈曲部６４３において行われる。
【００３６】
図１７は、塞栓摘出装置６１０の先端方向から見た図である。同図において、ストラット６１２，６１３により構成される円形の口部及びテーパ状の本体が示される。さらに、図示されるように、ストラット６１３は、部分的にストラット６１２に重なっている。
【００３７】
図１８は、図１の塞栓摘出装置１０に類似する塞栓摘出装置７１０を示す斜視図である。塞栓摘出装置７１０は、長尺状のシャフト７１６に連結される第１及び第２の主ストラット７１２と、第１及び第２の副ストラット７１４とを備える。これらストラット７１２，７１４は、スリーブ７１８，７２０によりシャフト７１６に連結されてもよい。スプリングチップ７２２は、シャフト７１６の先端部において配置されてもよい。主ストラット７１２の基端部分７３０は、ほぼ円形の口部を構成する。図１９において角度Ａにより示されるように、ストラット７１２の部分７３０は、シャフト７１６からほぼ基端方向へ延びる。角度Ａは、例えば、塞栓摘出装置１０の角度Ａについて特定したような角度であってもよい。また、ストラット７１２は、先端部分７３２を備える。
【００３８】
本願に開示されている事項は、多くの点において、単に例示的なものであることは理解されるべきである。構成の詳細に変更を加えることは可能であり、特に、形状、大きさ、工程の順序については、本発明の範囲を逸脱することなく、変更可能である。本発明の範囲は、当然ながら、請求項に記載された文言において定義される。
【図面の簡単な説明】
【００３９】
【図１】塞栓摘出装置の第１の実施例を示す斜視図。
【図２】図１の塞栓摘出装置を示す側面図。
【図３】図１の塞栓摘出装置を収容するマイクロカテーテルを示す断面図
【図４】図３のマイクロカテーテルを示す断面図であって、塞栓摘出装置がマイクロカテーテルから部分的に離間して配置されている。
【図５】凝血塊を有する血管と、凝血塊の横に位置するマイクロカテーテル内に配置されたマイクロガイドワイヤとを示す断面図。
【図６】図５の血管を示す断面図であって、凝血塊を通り越しているマイクロカテーテルと塞栓摘出装置とを示す。
【図７】図５の血管を示す断面図であって、凝血塊の先端側に配置される塞栓摘出装置を示す。
【図８】図５の血管を示す断面図であって、凝血塊は塞栓摘出装置に捕捉され、摘出装置のプラーはマイクロカテーテルの先端においてロックされる。
【図９】塞栓摘出装置の他の実施例を示す側面図。
【図１０Ａ】シャフトに沿って連結された６個のストラットを有する塞栓摘出装置の他の実施例を示す平面図。
【図１０Ｂ】図１０Ａの塞栓摘出装置を示す側面図。
【図１０Ｃ】図１０Ａの塞栓摘出装置を示す底面図。
【図１０Ｄ】図１０Ａの塞栓摘出装置を示す拡大図。
【図１０Ｅ】図１０Ａの塞栓摘出装置を示す別の拡大図。
【図１１Ａ】シャフトに沿って連結された８個のストラットを有する塞栓摘出装置の他の実施例を示す平面図。
【図１１Ｂ】図１１Ａの塞栓摘出装置を示す側面図。
【図１１Ｃ】図１１Ａの塞栓摘出装置を示す底面図。
【図１１Ｄ】図１０Ａの塞栓摘出装置を示す拡大図。
【図１２】塞栓摘出装置の他の実施例を示す側面図。
【図１３】図１２の塞栓摘出装置を先端部側から見た図。
【図１４】塞栓摘出装置のさらに他の実施例を示す側面図。
【図１５】図１４の塞栓摘出装置を先端部側から見た図。
【図１６】塞栓摘出装置のさらに他の実施例を示す平面図。
【図１７】図１６の塞栓摘出装置を先端部側から見た図。
【図１８】塞栓摘出装置の一実施例を示す斜視図。
【図１９】図１８の塞栓摘出装置を示す側面図。
【図１】
2006516212.tif 000003
【図２】
2006516212.tif 000004
【図３】
2006516212.tif 000005
【図４】
2006516212.tif 000006
【図５】
2006516212.tif 000007
【図６】
2006516212.tif 000008
【図７】
2006516212.tif 000009
【図８】
2006516212.tif 000010
【図９】
2006516212.tif 000011
【図１２】
2006516212.tif 000012
【図１３】
2006516212.tif 000013
2006516212.tif 000014
2006516212.tif 000015
【図１４】
2006516212.tif 000016
【図１５】
2006516212.tif 000017
【図１６】
2006516212.tif 000018
【図１７】
2006516212.tif 000019
【図１８】
2006516212.tif 000020
【図１９】
2006516212.tif 000021
【国際調査報告】
2006516212.tif 000022
2006516212.tif 000023
2006516212.tif 000024